(57)【特許請求の範囲】
【請求項１】
防水シートが固定される接着部が上面に設けられ、防水下地に敷設された断熱層に載置される金属製の板状部材と、
前記板状部材に相対回転可能に当接した状態で前記断熱層に嵌入され、締結具によって前記防水下地に固定される樹脂製の取付部材と、が備えられ、
前記取付部材に、前記締結具が挿通される筒状の本体部と、前記本体部の上端に設けられ、前記本体部の外径よりも大径に形成された鍔状部と、前記本体部の内部下端に設けられ、前記締結具の頭部が係止可能な座繰り部と、が備えられ、
前記板状部材のうち前記接着部よりも内周側に、前記本体部の外径よりも大径かつ前記鍔状部の外径よりも小径に形成され、前記本体部が貫通される挿通孔が備えられ、
前記板状部材における前記挿通孔の周囲に、前記防水下地側に凹入され、前記鍔状部が収容される凹入部が備えられ、
前記凹入部の上面に、前記凹入部の周方向に間隔を空けた状態で並ぶとともに前記防水下地とは反対側に突出する複数の突出部が備えられ、
前記複数の突出部の上面に前記鍔状部の下面が当接して、前記複数の突出部と前記鍔状部との間で前記相対回転が可能であり、かつ、前記鍔状部と前記凹入部との間における隣接する前記突出部の間に前記突出部の高さに相当する空間が形成されている防水シート固定具。
【請求項２】
前記複数の突出部は、前記凹入部の内周部から放射状に延びる状態で備えられている請求項１に記載の防水シート固定具。
【請求項３】
前記凹入部のうち前記複数の突出部よりも内周側に、前記挿通孔に沿った状態で周方向に連続する平坦面が備えられている請求項２に記載の防水シート固定具。
【請求項４】
前記板状部材のうち前記凹入部の外周側に隣り合う位置に、前記凹入部から前記防水下地とは反対側に膨出する環状のリブ部が備えられ、
前記突出部の外周側端部は、前記リブ部と連続している請求項２または３に記載の防水シート固定具。
【請求項５】
前記本体部の外周部に、径方向外側に突出する抜止突起が備えられ、
前記抜止突起の突出長は、前記挿通孔の外径と前記本体部の外径との差よりも大きく、
前記抜止突起は、圧嵌めによって前記挿通孔を乗り越えている請求項１〜４の何れか一項に記載のシート固定具。
【発明の詳細な説明】
【技術分野】
【０００１】
本発明は、例えば、防水下地の表面に沿って設けられた断熱層の上に、防水シートを敷設するにあたり、防水シートを防水下地に固定する防水シート固定具に関する。
【背景技術】
【０００２】
従来、この種の防水シート固定具としては、中央に挿通孔が形成された円板形状の板状部材と、板状部材の挿通孔に挿通自在な筒状の取付部材とを備えたものがあった（例えば、特許文献１参照）。
【０００３】
板状部材は、その上面部に、防水シートの下面が接着される接着部が設けられ、挿通孔の周囲には、取付部材の上縁部の全周にわたる鍔状部が収容される凹入部が、設けられている。
また、取付部材は、筒状の本体部の上縁部に上述の鍔状部が設けられ、本体部の筒内部の下端には、ビス（締結具に相当）の頭部が係止可能な座繰り部が設けられている。
【０００４】
そして、防水シート固定具を防水下地（例えば、折板屋根での折板）に取り付けるには、防水下地に備えられた断熱パネル（断熱層に相当）上の所定位置に、板状部材を載置し、板状部材の挿通孔に取付部材を下端部から挿通させて断熱パネルに貫入させ、取付部材の内空部にビスを挿通して防水下地に締め込むことで実施できる。
【０００５】
即ち、ビスを締め込むことで、取付部材が防水下地側へ近接し、取付部材の鍔状部と板状部材の凹入部とが全周にわたって上下に重なるから、板状部材が浮き上がらない状態に位置固定することができる。
【０００６】
そして、防水下地に取り付けた各防水シート固定具の上から防水シートを敷き並べ、板状部材の接着部に接着することで、防水シートを防水下地に定着させることができる。
【０００７】
また、板状部材と取付部材とは、凹入部と鍔状部とが上下に当接した状態で、縦軸心周りに相対回転することが許容されている。それによって、板状部材に作用する回転力で、取付部材やそれを防水下地に固定しているビスが供回りして緩むのを防止できる。
因みに、板状部材の回転は、例えば、風による揚力が防水シートに加わり、その影響が防水シートから板状部材に伝わることで生じる。
【先行技術文献】
【特許文献】
【０００８】
【特許文献１】特開平６−１３６８９２号公報（図１）
【発明の概要】
【発明が解決しようとする課題】
【０００９】
当該防水シート固定具を使用して防水下地上に防水シートを固定した状態においては、防水シートと防水下地とで挟まれた範囲は、密閉された環境となる。従って、密閉環境内においては、昼夜の外気温度の高低差による結露が発生し易い状況にある。
【００１０】
上述した従来の防水シート固定具によれば、板状部材と取付部材とが、凹入部と鍔状部とで全周に亘って当接しているから、毛細管現象によって当接面間に結露水を引き入れ易い状況となっている。
また、一度、当接面間に浸入した結露水は、空間に解放され難いから蒸散できずに、長期にわたって介在し続ける虞がある。従って、長期間介在する水によって、凹入部と鍔状部との化学変化等が助長され、素材の劣化を進行させたり、当接面どうしが付着して相対回転の障害となる問題点がある。
【００１１】
従って、本発明の目的は、上記問題点を解消し、防水シートと防水下地との間に発生する結露水が溜まったままになり難く、結露水による素材の劣化や付着が生じ難い防水シート固定具を提供するところにある。
【課題を解決するための手段】
【００１２】
本発明の特徴は、防水シートが固定される接着部が上面に設けられ、防水下地に敷設された断熱層に載置される金属製の板状部材と、前記板状部材に相対回転可能に当接した状態で前記断熱層に嵌入され、締結具によって前記防水下地に固定される樹脂製の取付部材と、が備えられ、前記取付部材に、前記締結具が挿通される筒状の本体部と、前記本体部の上端に設けられ、前記本体部の外径よりも大径に形成された鍔状部と、前記本体部の内部下端に設けられ、前記締結具の頭部が係止可能な座繰り部と、が備えられ、前記板状部材のうち前記接着部よりも内周側に、前記本体部の外径よりも大径かつ前記鍔状部の外径よりも小径に形成され、前記本体部が貫通される挿通孔が備えられ、前記板状部材における前記挿通孔の周囲に、前記防水下地側に凹入され、前記鍔状部が収容される凹入部が備えられ、前記凹入部の上面に、前記凹入部の周方向に間隔を空けた状態で並ぶとともに前記防水下地とは反対側に突出する複数の突出部が備えられ、前記複数の突出部の上面に前記鍔状部の下面が当接して、前記複数の突出部と前記鍔状部との間で前記相対回転が可能であり、かつ、前記鍔状部と前記凹入部との間における隣接する前記突出部の間に前記突出部の高さに相当する空間が形成されているところにある。
【００１３】
本発明によれば、凹入部の上面に、防水下地とは反対側に突出する複数の突出部が備えられ、複数の突出部の上面に鍔状部の下面が当接するから、隣接する突出部間には、周囲に連通して開放された空間を確保することができる。
【００１４】
従って、結露水が凹入部と鍔状部の間に浸入したとしても開放側へ抜け易く、また、蒸散が促進され、長期にわたって結露水が介在し続けるのを防止できる。
その結果、結露水が、凹入部と鍔状部との当接面間に溜まったままになり難く、結露水による凹入部や鍔状部の素材の劣化や、付着による相対回転障害等を、防止することができる。
【００１５】
また、凹入部に突出部を備えていることで、凹入部の断面係数が増大し、凹入部としての部材強度の向上を図れる。その結果、防水シート固定具として、高い固定強度を発揮できるようになる。また、各突出部は、凹入部の周方向に間隔を空けた状態で備えられているから、各突出部間にできる空間も、凹入部の内周部から放射状に延びる状態に形成できる。従って、空間の延び方向での両端側（又は、何れか一端側）を開口させて、より水抜け性を向上させることができる。
【００１６】
本発明においては、前記複数の突出部は、前記凹入部の内周部から放射状に延びる状態で備えられていると好適である。
【００１７】
本構成によれば、突出部が、凹入部の内周部からそれぞれ放射状に延びる補強リブとなるから、凹入部における放射方向（径方向）での曲げ剛性の向上を図ることができる。
【００１８】
本発明においては、前記凹入部のうち前記複数の突出部よりも内周側に、前記挿通孔に沿った状態で周方向に連続する平坦面が備えられていると好適である。
【００１９】
本構成によれば、平坦面が、突出部より内周側で周方向に連続していることで、リング状の構造を形成でき、各突出部どうしを平坦面で一体的に連結できることで、凹入部における周方向での曲げ剛性の向上を図ることができる。従って、突出部を折り目として板状部材が折れ曲がるのを防止できる。
【００２０】
本発明においては、前記板状部材のうち前記凹入部の外周側に隣り合う位置に、前記凹入部から前記防水下地とは反対側に膨出する環状のリブ部が備えられ、前記突出部の外周側端部は、前記リブ部と連続していると好適である。
【００２１】
本構成によれば、環状のリブ部による板状部材の周方向に沿った曲げ剛性の向上と、突出部による放射方向での曲げ剛性の向上とを、両方、備えることができる。
更には、突出部とリブ部とが連続していることで、互いの曲げ剛性を相乗的に補完でき、強度の高い防水シート固定具を提供できるようになる。
【００２２】
本発明においては、前記本体部の外周部に、径方向外側に突出する抜止突起が備えられ、前記抜止突起の突出長は、前記挿通孔の外径と前記本体部の外径との差よりも大きく、前記抜止突起は、圧嵌めによって前記挿通孔を乗り越えていると好適である。
【００２３】
本構成によれば、板状部材と取付部材とを嵌合させて、抜止突起が挿通孔内縁を乗り越える状態に圧嵌めすることで、互いの部材が離脱しないように一体化できる。
よって、部材の取扱時に、板状部材と取付部材とを個別に取り扱うのではなく、一緒にしたまま取り扱うことができ、取扱性が向上する。その結果、防水下地へ当該防水シート固定具を取り付ける時に、効率よく作業を進めることができる。
【図面の簡単な説明】
【００２４】
【図１】屋根における防水シート固定具の設置状況を表す一部切欠き斜視図である。
【図２】防水シート固定具の分解斜視図である。
【図３】一体化された防水シート固定具を示す斜視図である。
【図４】板状部材の平面図である。
【図５】屋根における防水シート固定具の設置状況を示す要部断面図である。
【図６】板状部材と取付部材との嵌合状況を示す要部断面図である。
【図７】別実施形態の板状部材の平面図である。
【図８】別実施形態の板状部材の要部を示す断面図である。
【発明を実施するための形態】
【００２５】
以下に本発明の実施の形態を図面に基づいて説明する。
【００２６】
図１は、屋根Ｒの表面に、当該発明の防水シート固定具の一実施形態品（以後、単にシート固定具Ｄという）を使用して防水シート１が設置してある状況を示している。
【００２７】
屋根Ｒは、屋根下地（防水下地の一例）Ｒ１の表面側に断熱板（断熱層に相当）Ｒ２を敷き詰めて構成されている。
屋根下地Ｒ１は、当該実施形態においては、金属製折板を並設した金属屋根（折板屋根）で構成されている。
尚、屋根下地Ｒ１そのものは、折板屋根に限るものではなく、例えば、デッキプレートやキーストンプレート等の金属製下地で形成してあったり、鉄筋コンクリート造や、コンクリート版等を使用した下地であってもよい。
【００２８】
断熱板Ｒ２は、ウレタンフォーム（他にポリスチレンやポリプロピレンやポリエチレン等の発泡成形品でもよく、硬さも自由に設定可能）からなり、屋根下地Ｒ１への固定は、当該シート固定具Ｄによって行われている。
【００２９】
防水シート１は、例えば、塩化ビニル系等の合成樹脂製シートで構成されている。
【００３０】
シート固定具Ｄは、図２〜５に示すように、円板状の板状部材Ｄ１と、板状部材Ｄ１に挿通自在でビス（締結具の一例）２によって屋根下地Ｒ１に固定される筒状の取付部材Ｄ２とを備えている。
【００３１】
板状部材Ｄ１は、金属板をプレス加工によって成形してあり、円板の中央部分に、取付部材Ｄ２を挿通自在な挿通孔３が設けられ、その挿通孔３の外周側の部分が上方に膨出しており、その上面部分に、防水シート１が固定される接着部４が設けられている。
因みに、挿通孔３は、取付部材Ｄ２の本体部２０（後述）の外径よりも大径に、且つ、取付部材Ｄ２の鍔状部２１（後述）の外径よりも小径に形成され、本体部２０が貫通できるように形成されている。
【００３２】
因みに、接着部４は、当該実施形態においては、ホットメルト接着材によって構成されている。従って、設置したシート固定具Ｄの上に、防水シート１を敷設し、その上から、電磁誘導加熱によって金属である板状部材Ｄ１を加熱すれば、接着部４（ホットメルト接着材）が融けてシート固定具Ｄに防水シート１を接着することができる。
【００３３】
また、板状部材Ｄ１の最外縁部は、接着部４より下段に位置して、断熱板Ｒ２の上面に当接自在な環状の接地部５として構成されている。
【００３４】
板状部材Ｄ１における挿通孔３の周囲は、全周にわたって屋根下地Ｒ１側に凹入された凹入部６が形成され、その凹入部６と接着部４との間には、凹入部６より屋根下地Ｒ１とは反対側に膨出する環状のリブ部７が形成されている。
【００３５】
凹入部６には、屋根下地Ｒ１とは反対側に膨出する複数の突出部８が備えられている。
突出部８は、凹入部６の内周部から放射状に延びる状態、かつ、凹入部６の周方向に間隔を空けた状態で備えられている。
【００３６】
また、突出部８の内周側端部８ａは、凹入部６の内縁部より若干外周側に位置している。従って、突出部８よりも内周側の部分は、挿通孔３の周方向に連続する平坦面６ａとして構成され、他の凹入部６と同一平面上に位置している。
また、突出部８の外周側端部８ｂは、前記リブ部７と交差状態で連続している。
【００３７】
挿通孔３に、取付部材Ｄ２を挿通させていくに伴って、上端に備えた鍔状部２１は、凹入部６に収納された状態となる。この収納状態においては、鍔状部２１の下面が、各突出部８の上面に当接している。従って、凹入部６と鍔状部２１との間において、隣接する突出部８の間には、突出部８の高さに相当する空間Ｖが形成される。
【００３８】
この空間Ｖも、突出部８と同様に、凹入部６の内周部から放射状に延びる状態で、かつ、凹入部６の周方向に間隔を空けた状態に形成される。図６に示すように、空間Ｖは、延び方向での両端側で解放される。
従って、防水シート１と屋根下地Ｒ１との間の範囲で結露した水が、空間Ｖに浸入しても、上述のように解放されていることで抜け易い。
【００３９】
取付部材Ｄ２は、合成樹脂によって形成してあり、図５に示すように、ビス２が挿通される筒状の本体部２０と、本体部２０の上端に設けられ、本体部２０の外径よりも大径に形成された鍔状部２１と、本体部２０の内部下端に設けられ、ビス２の頭部が係止可能な座繰り部２２と、を備えている。
取付部材Ｄ２は、板状部材Ｄ１の挿通孔３に挿通したセット状態において、板状部材Ｄ１と縦軸心周りに相対回転自在である。
【００４０】
本体部２０は、下端部が窄まった外形に形成してあり、断熱板Ｒ２に対して、進入させ易く構成されている。
また、本体部２０の外周部における鍔状部２１側の部分には、径方向外側に突出する抜止突起２０ａが、周方向に間隔をあけて複数設けられている。
抜止突起２０ａの突出長Ｌは、抜け止めを発揮できる長さに設定してあり、当該実施形態においては、挿通孔３の半径（外径の一例）Ｌ１と本体部２０の半径（外径の一例）Ｌ２との差よりも大きく設定してある（図６参照）。
従って、板状部材Ｄ１と取付部材Ｄ２との合体状態においては、抜止突起２０ａは、圧嵌めによって挿通孔３を乗り越えている。
【００４１】
次に、当該シート固定具Ｄの設置手順の一例について説明する。
［１］  予め、板状部材Ｄ１と取付部材Ｄ２とを合体させておく（図３参照）。
但し、板状部材Ｄ１を断熱板Ｒ２の上に載置した状態で取付部材Ｄ２を断熱板Ｒ２に挿入しながら合体させるものであってもよい。
【００４２】
［２］  屋根Ｒの所定の平面位置に、シート固定具Ｄを設置する。設置にあたっては、取付部材Ｄ２の下端部を断熱板Ｒ２に突き刺し、取付部材Ｄ２の内空部に挿入したビス２を螺進させる。
但し、断熱板Ｒ２の対応部に、予め、取付部材Ｄ２を挿入する穴を形成しておいてもよい。
【００４３】
［３］  ビス２の螺進の度合いは、板状部材Ｄ１が縦軸心周りに回転できる状態で、且つ、鍔状部２１が、凹入部６に納まるまで行う。
以上の工程でシート固定具Ｄを設置でき、他の箇所にもシート固定具Ｄを設置した後、それらの上から防水シート１を被せ、接着部４に接着すれば、防水シート１の固定が完了する。
【００４４】
当該実施形態で説明したシート固定具Ｄによれば、屋根Ｒに設置した状態で、鍔状部２１と凹入部６との間に、上述の空間Ｖを確保できることで、結露水が鍔状部２１と凹入部６との間に溜まり難く、素材の化学変化や、劣化や、付着等を防止できる。従って、耐久性が向上すると共に、板状部材Ｄ１と取付部材Ｄ２とが、長期にわたって相対回転できる構造を維持できる。
また、突出部の設け方を工夫してあることで、板状部材Ｄ１の強度アップを図れ、防水シート１の固定強度の高いシート固定具Ｄを提供できるようになる。
【００４５】
〔別実施例〕
以下に別実施例を説明する。
〈１〉  防水下地Ｒ１は、先の実施形態で説明した屋根下地に限るものではなく、例えば、傾斜屋根や、壁等であってもよく、また、それらの構造は、例えば、木造や、鉄筋コンクリートや、鉄骨、折板、デッキプレート等、特に限定されるものではない。
【００４６】
〈２〉  防水シート１は、先の実施形態で説明した塩化ビニル系等の合成樹脂製シート材に限るものではなく、公知の他の材料を使用したものであってもよい。
【００４７】
〈３〉  接着部４は、先の実施形態で説明したホットメルト接着材で構成することに限るものではなく、公知の他の接着材で構成するものであってもよい。
また、板状部材Ｄ１における接着部４の位置は、先の実施形態で説明したものに限るものではない。
【００４８】
〈４〉  突出部８は、先の実施形態で説明した形状や数量や配置に限るものではなく、適宜変更が可能である。
突出部８は、凹入部６の内周部から放射状に延びるものに替えて、例えば、図７に示すように、凹入部６の周方向に延びるものであってもよい。この場合、図に示すように、凹入部６の周方向に間隔を空けて突出部８を設けることが、水抜け性の向上の意味から好ましい。
また、別の形態として、突出部８は、凹入部６に点状に配置された突起であってもよい。
【００４９】
また、突出部８の形成に当たっては、先の実施形態で説明したように、板状部材Ｄ１を構成する金属板の対象部を膨出させて形成することに限らず、例えば、図８に示すように、板状部材Ｄ１に別の部材を一体化させて突出部８を形成するものであってもよい。
図の形態は、例えば、半田等を盛って突出部８を形成してある。
【００５０】
また、突出部８の内周側端部８ａに隣接する部分を、先の実施形態で説明した平坦面６ａとして構成することに限定されるものではなく、平坦面６ａを設けないものであってもよい。
【００５１】
尚、特許請求の範囲の項に、図面との対照を便利にするために符号を記すが、該記入により本発明は添付図面の構成に限定されるものではない。
【産業上の利用可能性】
【００５２】
当該防水シート固定具は、屋根以外の防水下地にも設置することができる。
【符号の説明】
【００５３】
１      防水シート
２      ビス（締結具の一例）
３      挿通孔
４      接着部
６      凹入部
６ａ    平坦面
７      リブ部
８      突出部
８ｂ    外周側端部
２０    本体部
２０ａ  抜止突起
２１    鍔状部
２２    座繰り部
Ｄ１    板状部材
Ｄ２    取付部材
Ｌ      突出長
Ｌ１    挿通孔３の半径（外径の一例）
Ｌ２    本体部２０の半径（外径の一例）
Ｒ１    屋根下地（防水下地の一例）
Ｒ２    断熱板（断熱層に相当）
【図１】
0006684592.tif 000002
【図２】
0006684592.tif 000003
【図３】
0006684592.tif 000004
【図４】
0006684592.tif 000005
【図５】
0006684592.tif 000006
【図６】
0006684592.tif 000007
【図７】
0006684592.tif 000008
【図８】
0006684592.tif 000009